(57)【要約】【課題】  本発明の課題は、熱交換器を傾斜して配置し、この熱交換器から滴下するドレン水をサブドレンパンで受ける従来の構造を変えることなく、熱交換器のメンテナンス性向上を図った天井埋込型空気調和機を提供することにある。【解決手段】  前記課題は、ユニット本体より前面パネルやドレンパンを取り外すことなく、サブドレンパンを単独でユニット空気調和機本体より着脱可能とする構造によって達成され、本発明によれば、空気吸込口の下方から熱交換器へのほこり、油等の付着の状態を容易に目視で確認することが可能となり、更に、空気吸込口から熱交換器に洗浄液を噴霧し洗浄することが可能となり、洗浄作業の効率向上が図れる。【選択図】  図２
2006214685.tif 000002
【特許請求の範囲】
【請求項１】
下面に空気吸込口と空気吹出口とを有し、ユニット本体内に、傾斜して配置される熱交換器と、上記熱交換器に対向して配置される送風機と、熱交換器の傾斜下面側に所定の間隔を存して熱交換器と略平行に配置され、熱交換器から滴下するドレン水を受ける複数個の水受け皿によって階段状に形成されるサブドレンパンと、このサブドレンパンに滴下及び熱交換器より流下するドレン水を集水するドレンパンとを具備し、かつ上記サブドレンパンをドレンパンやユニット本体下面に装着の前面パネルを外すことなく、ユニット本体より着脱可能とした構造を特徴とする天井埋込型空気調和機。
【請求項２】
サブドレンパンの長手方向の両端上部それぞれに爪と、またユニット本体内上部に上記サブドレンパンの爪を引っ掛ける角穴が空いた固定座を設けることにより、サブドレンパン上部が上記爪で空気調和機本体内に引っ掛かり固定される構造を特徴とする請求項１記載の天井埋込型空気調和機。
【請求項３】
ドレンパンの少なくとも２箇所に溝を設け、サブドレンパンの下部を上記ドレンパンに設けた溝に挿入することにより、サブドレンパンの下部が固定される構造を特徴とする請求項１、２に記載の天井埋込型空気調和機。
【発明の詳細な説明】
【技術分野】
【０００１】
本発明は、天井埋込型の空気調和機に係わり、より詳細には、空気調和機設置後の熱交換器の洗浄作業等のメンテナンス性の改良に関する。
【背景技術】
【０００２】
下面に吸い込み口と吹き出し口を有する天井埋込型空気調和機において、天井内の限られた高さに空気調和機本体を設置する為、空気調和機本体を上下方向に薄型化する必要がある。この為、この種の空気調和機の熱交換器は垂直方向に設置する場合に対して伝熱面積の増加が図れるようにある程度の角度をもって傾斜して配置され、また熱交換器より流下するドレン水を集水するドレンパンを備え、更に熱交換器の経年変化、熱交換器へのほこり、油等の付着によりドレン水が熱交換器より滴下した際にもこれを確実に受け、室内への滴下を防止するサブドレンパンを備え、ユニット本体下面には吸込口と吹出口を有する前面パネルを装着した構造となっている。
【０００３】
この種の天井埋込型空気調和機としては特開平３−６３４２９号公報（特許文献１）に示されたものがある。
【０００４】
また、この種の天井埋込型空気調和機の前面パネルには、吸込口の開口部にエアフィルターが装着した吸込グリルが取付けられ、このエアフィルターのメンテナンス性向上を図り、吸込グリルを開閉可能としたものがある。
【０００５】
【特許文献１】特開平３−６３４２９号公報
【発明の開示】
【発明が解決しようとする課題】
【０００６】
特開平３−６３４２９号公報に示す従来の天井埋込型空気調和機では、設置後のメンテナンス作業時に、前面パネルの吸込グリルを開いて、空気調和機の空気吸込口下方から熱交換器へのほこり、油等の付着の状態を目視にて確認しようとしても、熱交換器の下部で、また空気吸込口の上方にもあたる位置にサブドレンパンが設置されており、このサブドレンパンの水受け皿部が目視の妨げとなり確認が困難で、熱交換器へのほこり、油等の付着を見落とす恐れがある。
【０００７】
熱交換器へのほこり、油等の付着の見落としを防止するためには、ユニット本体よりサブドレンパンを取り外して確認を行う必要があるが、このサブドレンパンはユニット本体に固定され、単独での取り外しは不可能となっており、ユニット本体下面に装着されている前面パネル、及びユニット本体よりドレンパンの取り外しが必要で、作業時間と労力を要するという課題があった。
【０００８】
また熱交換器を洗浄する場合においても、サブドレンパンの水受け皿が妨げとなり、空気吸込口から熱交換器への洗浄液の噴霧による洗浄が困難であり、熱交換器を洗浄する場合も前面パネル、ドレンパン及びサブドレンパンを空気調和機本体より取り外して作業を行わなくてはならず、作業効率に課題があった。
【０００９】
本発明は、上記事情に鑑みなされたものであり、その目的は、熱交換器を傾斜して配置し、この熱交換器から滴下するドレン水をサブドレンパンで受ける構造を保ちつつ、設置後のメンテナンス時には、サブドレンパンを単独でユニット本体から取り外し、熱交換器へのほこり、油等の付着の状態を容易に確認することが可能で、さらに熱交換器の洗浄作業を効率良く行うことが可能な天井埋込型空気調和機を得ることにある。
【課題を解決するための手段】
【００１０】
前記目的を達成するために、本発明は、空気調和機本体より前面パネルやドレンパンを取り外すことなく、サブドレンパンが単独で空気調和機本体より着脱可能の構造とした。
【発明の効果】
【００１１】
本発明の天井埋込型空気調和機によれば、メンテナンスの際にサブドレンパンを空気調和機本体下面に装着されている前面パネルや空気調和機本体のドレンパンの取り外しを行なうことなく空気調和機内より単独で取り外すことできるので、空気吸込口の下方から熱交換器へのほこり、油等の付着の状態を容易に目視で確認することが可能となり、更に、空気吸込口から熱交換器に洗浄液を噴霧し洗浄することが可能となり、洗浄作業の効率向上が図れる。
【発明を実施するための最良の形態】
【００１２】
以下、本発明における一実施例を図面に基づいて説明する。
【００１３】
図１は本発明の一実施例を示す天井埋込型空気調和機の部品構成図、図２は上記空気調和機のサブドレンパン取り外し状態の部品構成図である。
【００１４】
ユニット本体１は、天井板２に設けらている天井開口部３の上方に設置され、このユニット本体１は下面に空気吸込口４と空気吹出口５を有し、内部には複数個の水受け皿によって階段状に形成されるサブドレンパン６、熱交換器７、送風機８及び固定座９が配置される。空気吸込口４と空気吹出口５との間にはドレンパン１０が配置され、上記サブドレンパン６と熱交換器７の傾斜下端部が載る。このドレンパン１０には、集溜したドレン水を外部に排出する排水路（図示せず）が接続される。またユニット本体１の下面には、前面パネル１１が装着される。この前面パネル１１は、吸込グリル１２を有し、上記吸込グリル１２の上面には、エアフィルター１３が装着される。
【００１５】
図３は上記空気調和機のサブドレンパンの長手方向端部の主要部品断面図、図４はサブドレンパンの上部の固定部詳細図、図５はサブドレンパンの下部の固定部詳細図である。
【００１６】
サブドレンパン６の上部には爪６ａが設けられ、ドレンパン１０にはドレンパン１０に設けたリブ１０ａにより溝１０ｂが形成されている。また固定座９には角穴９ａが設けられていて、この固定座９はねじ（図示せず）によりユニット本体１に固定されている。
【００１７】
尚、サブドレンパン６の長手方向のもう一方の端部側にも、上記の爪６ａ、リブ１０ａ、溝１０ｂ及び固定座９が各々設けられている。
【００１８】
通常（空気調和機使用）時は、サブドレンパン６の爪６ａが固定座９の角穴９ａに引っ掛かりサブドレンパン６の上部が固定され、更にドレンパン１０の溝１０ｂにサブドレンパンの下端が挿入され下部も固定され、通常時は外れない構造となっている。メンテナンス時には、サブドレンパン６を斜め上方に持ち上げることにより、爪６ａが固定座９の角穴９ａより外れ、同時にサブドレンパン６の下部もドレンパン１０の溝１０ｂから外れ、ユニット本体１より取り外しができる。またメンテナンス終了後は、サブドレンパン６の下部をドレンパン１０の溝１０ｂに挿入した後、この下部を支点にして上部を上方向に回転移動させる。サブドレンパン６が所定の位置に回転移動になると、サブドレンパン６の爪６ａが固定座９の角穴９ａに引っ掛かり、サブドレンパン６がユニット本体１内に固定される。
【図面の簡単な説明】
【００１９】
【図１】本発明の一実施例を示す天井埋込型空気調和機の部品構成図。
【図２】本発明の一実施例を示す天井埋込型空気調和機のサブドレンパン取り外し状態の部品構成図。
【図３】サブドレンパンの長手方向端部の主要部品断面図。
【図４】サブドレンパンの上部の固定部詳細図。
【図５】サブドレンパンの下部の固定部詳細図。
【符号の説明】
【００２０】
１…ユニット本体、２…天井板、３…天井開口部、４…空気吸込口、５…空気吹出口、６…サブドレンパン、６ａ…爪、７…熱交換器、８…送風機、９…固定座、９ａ…角穴、１０…ドレンパン、１０ａ…リブ、１０ｂ…溝、１１…前面パネル、１２…吸込グリル、１３…エアフィルター。
【図１】
2006214685.tif 000003
【図２】
2006214685.tif 000004
【図３】
2006214685.tif 000005
【図４】
2006214685.tif 000006
【図５】
2006214685.tif 000007